(57)【要約】【課題】  サンプルシートの配置及び交換に係る作業を簡単に行える自動販売機を提供する。【解決手段】  前面透明板１１と、対向する辺に差込片１４ａ１を有するサンプルシート１４と、サンプルシート１４の差込片１４ａ１が挿入可能な切欠き１３ｂ１，１３ｃ１を有し前面透明板１１の張出部１１ａの裏側で対を成すように間隔をおいて設けられたシート取付具１３とを備えており、サンプルシート１４は各差込片１４ａを対を成すシート取付具１３の切欠き１３ｂ１，１３ｃ１に挿入した状態でその表面を張出部１１ａの裏側窪みの内面に沿うように変形していて該内面に実質的に接触している。【選択図】  図１０
2006277008.tif 000002
【特許請求の範囲】
【請求項１】
前面透明板と、
対向する辺に差込片を有するサンプルシートと、
サンプルシートの差込片が挿入可能な被差込部を有し前面透明板の裏側に対を成すように間隔をおいて設けられたシート取付具とを備え、
サンプルシートは各差込片を対を成すシート取付具の被差込部に挿入した状態でその表面を前面透明板の裏面に実質的に接触している、
ことを特徴とする自動販売機。
【請求項２】
前面透明板は、少なくとも幅方向両側に湾曲面を有する表面形状を有し該表面形状と相似形の窪みを裏側に有する張出部を備え、
サンプルシートは張出部の裏側窪みに配され配置後のサンプルシートは裏側窪みの内面に沿うように変形していて該内面に実質的に接触している、
ことを特徴とする請求項１に記載の自動販売機。
【請求項３】
サンプルシートとシート取付具の一方には、配置後のサンプルシートの形態を維持する部位が設けられている、
ことを特徴とする請求項２に記載の自動販売機。
【発明の詳細な説明】
【技術分野】
【０００１】
本発明は、サンプルシートによって販売可能商品を購買者に明示する自動販売機に関する。
【背景技術】
【０００２】
前面透明板の裏側に陳列した立体的なサンプルによって販売可能商品を購買者に明示する自動販売機とは別に、前面透明板の裏面に配したサンプルシートによって販売可能商品を購買者に明示する自動販売機が存在する。このサンプルシートは所定寸法のプラスチックシートの表面に商品の写真や価格等を印刷したものであり、カップ入り飲料を販売する自動販売機を初めとし、アイスクリームを販売する自動販売機や容器入り飲料を販売する自動販売機等にも広く使用されている。
【０００３】
図１はサンプルシートを用いた従来の自動販売機の部分前面図、図２は図１に示した前面透明板の一部，シート保持部材及びサンプルシートの縦断面図である。図中の符号１は前面透明板、２は商品選択ボタン、３はシート保持部材、４はサンプルシートである。
【０００４】
前面透明板１は平坦であり、その裏面にはシート保持部材３を着脱自在に取り付けるための上下一対の係合部１ａが所定の配列で複数設けられている。各係合部１ａにはシート保持部材３の係合突起３ｂ１を着脱自在に係合可能な係合孔１ａ１が設けられている。
【０００５】
シート保持部材３はサンプルシート４よりも僅かに大きな平坦な前面を有しており、該前面の上部にはサンプルシート４の差込片４ａを挿入可能な差込孔３ａが設けられている。また、シート保持部材３の裏面側の上下には弾性変形可能な係合片３ｂが設けられ、各係合片３ｂには係合部１ａの係合孔１ａ１に着脱自在に係合可能な係合突起３ｂ１が設けられている。
【０００６】
サンプルシート４は矩形状のプラスチックシートから成り、その表面には商品の写真や価格等が印刷されている。このサンプルシート４の上端には、シート保持部材３の差込孔３ａに挿入可能な差込片４ａが設けられている。
【０００７】
このサンプルシート４を前面透明板１の裏面に配するときには、シート保持部材３の差込孔３ａにサンプルシート４の差込片４ａを挿入して該サンプルシート４をシート保持部材３に取り付けた後、サンプルシート４が取り付けられたシート保持部材３を所定の係合部１ａの対に後側から押し込み、該シート保持部材３の各係合突起３ｂ１を上下の係合部１ａの係合孔１ａ１に係合させる。これにより、サンプルシート４は前面透明板１とシート保持部材３との間に挟み込まれた状態となり、サンプルシート４の表示内容を前面透明板１を通じて外から視認できるようになる。
【０００８】
因みに、サンプルシート４を交換するときには、シート保持部材３の各係合片３ｂを撓ませて係合孔１ａ１に対する係合突起３ｂ１の係合を解除してから該シート保持部材３を係合部１ａから抜き出し、抜き出したシート保持部材３に取り付けられているサンプルシート４を別のサンプルシート４に交換し、そして、別のサンプルシート４が取り付けられたシート保持部材３を係合部１ａの対に後側から押し込み、該シート保持部材３の各係合突起３ｂ１を上下の係合部１ａの係合孔１ａ１に係合させる。
【特許文献１】実公平７−５１６７１号公報
【発明の開示】
【発明が解決しようとする課題】
【０００９】
図１及び図２に示した従前の自動販売機にあっては、出荷前段階で販売可能商品に対応した複数のサンプルシート４を前面透明板１の裏面に配するには、前記の配置作業をサンプルシート４の数だけ繰り返して行う必要があるため、この際に費やされる時間及び労力は大きい。また、サンプルシート４を交換するためにはその度に前記の交換作業を行う必要があるため、交換に伴う作業負担も小さいとは言い難い。
【００１０】
本発明は前記事情に鑑みて創作されたもので、その目的とするところは、サンプルシートの配置及び交換に係る作業を簡単に行える自動販売機を提供することにある。
【課題を解決するための手段】
【００１１】
前記目的を達成するため、本発明は、対向する辺に差込片を有するサンプルシートと、サンプルシートの差込片が挿入可能な被差込部を有し前面透明板の裏側に対を成すように間隔をおいて設けられたシート取付具とを備え、サンプルシートは各差込片を対を成すシート取付具の被差込部に挿入した状態でその表面を前面透明板の裏面に実質的に接触している、ことをその特徴とする。
【００１２】
この自動販売機によれば、サンプルシートの配置に従前のようなシート保持部材を必要としないため、複数のサンプルシートを前面透明板の裏面に配するときに費やされる時間及び労力を減少することができるし、サンプルシートの交換に係る作業負担も軽減することができる。
【発明の効果】
【００１３】
本発明によれば、サンプルシートの配置及び交換に係る作業を簡単に行える自動販売機を提供できる。
【００１４】
本発明の前記目的とそれ以外の目的と、構成特徴と、作用効果は、以下の説明と添付図面によって明らかとなる。
【発明を実施するための最良の形態】
【００１５】
［第１実施形態］
図３〜図１１は本発明の第１実施形態を示すもので、図３は自動販売機の部分前面図、図４は図３のＡ−Ａ線拡大断面図、図５は図３のＢ−Ｂ線拡大断面図、図６は図５を右側（裏面側）から見た図、図７は商品選択ボタンの斜視図、図８はシート取付具の斜視図、図９はサンプルシートの斜視図、図１０及び図１１はサンプルシートの取付手順を示す説明図である。図中の符号１１は前面透明板、１２は商品選択ボタン、１３はシート取付具、１４はサンプルシートである。
【００１６】
前面透明板１１はプラスチック等から成り、所定の配列で並べられた複数の張出部１１ａと張出部１１ａ間に位置する格子状の平坦部１１ｂとを備える。各張出部１１ａは幅方向両側に湾曲面を有し幅方向中央に平坦面を有する表面形状を有しており、該表面形状と相似形の窪み（符号無し、以下裏側窪みと言う）を裏側に有する。また、各張出部１１ａの下部には商品選択ボタン用の取付孔１１ａ１が設けられている。
【００１７】
商品選択ボタン１２は本体１２ａと押しボタン１２ｂとを備えている。本体１２ａの前端には環状鍔１２ａ１が設けられ、本体１２ａの周面の上下位置には係合突起１２ａ２が設けられている。
【００１８】
シート取付具１３は金属等から成り、平坦部１３ａと上側屈曲部１３ｂと下側屈曲部１３ｃとを備える。平坦部１３ａには商品選択ボタン１２の本体１２ａの外形とほぼ一致した係合孔１３ａ１が設けられている。上側屈曲部１３ｂはＬ字形を成し、垂直部分の中央に所定幅の上側切欠き１３ｂ１を有する。下側屈曲部１３ｃはＬ字形を成し、垂直部分の下端中央に前記上側切欠き１３ｂ１と同一幅の下側切欠き１３ｃ１を有する。図５から分かるように、上側屈曲部１３ｂの垂直部分と下側屈曲部１３ｃの垂直部分とは同一平面に位置する。
【００１９】
サンプルシート１４は可撓性を有する矩形状プラスチックシートから成り、その表面には商品の写真またはデザイン画が価格や冷温表示等と共に印刷されている。勿論、商品の写真またはデザイン画を表面に印刷し価格や冷温表示等を表面にシールで貼り付けるようにして、シール張り替えによって価格や冷温表示等を変更できるようにしたり、或いは、前記同様のものを印刷した２以上のシールを表面に貼り付けるようにして、シール張り替えによって表示を選択的に変更できるようにしてもよい。
【００２０】
このサンプルシート１４の上辺中央と下辺中央には同一形状の突出片１４ａが一体に設けられている。また、各突出片１４ａの先端中央には差込片１４ａ１が連続して形成され、これにより各差込片１４ａ１の両側には段差１４ａ２が形成されている。各差込片１４ａ１の幅はシート取付具１３の両切欠き１３ｂ１，１３ｃ１の幅よりも僅かに小さい。さらに、各突出片１４ａの基部には各突出片１４ａを折り曲げる際のガイドとなる破線ライン（微細孔を間隔をおいて直線的に形成したもの）１４ｂが形成されている。
【００２１】
前記の商品選択ボタン１２及びシート取付具１３は予め前面透明板１１に固着されている。両者を前面透明板１１に取り付けるときには、シート取付具１３をその係合孔１３ａ１が取付孔１１ａ１に合致するように前面透明板１１の裏面にあてがい、前面透明板１１の表面側から商品選択ボタン１２の本体１２ａを取付孔１１ａ１及び係合孔１３ａ１に押し込む。これにより、商品選択ボタン１２の環状鍔１２ａ１が前面透明板１１の張出部１１ａの表面に当接し、且つ、商品選択ボタン１２の係合突起１２ａ２が係合孔１３ａ１の裏面側に係合して、商品選択ボタン１２及びシート取付具１３が前面透明板１１に固着される。
【００２２】
固着後のシート取付具１３の上側切欠き１３ｂ１は商品選択ボタン１２が固着された張出部１１ａの裏側窪みに位置し、下側切欠き１３ｃ１はその下側の張出部１１ａの裏側窪みに位置し、両者は張出部１１ａの裏側において上下方向で対を成す。固着後のシート取付具１３の上側切欠き１３ｂ１と張出部１１ａの裏側窪みの内面との間隔、並びに、下側切欠き１３ｃ１と張出部１１ａの裏側窪みの内面との間隔は、サンプルシート１４の各突出片１４ａの差込片１４ａ１を除いた上下寸法とほぼ一致している（図４参照）。また、固着後のシート取付具１３の下側切欠き１３ｃ１と該シート取付具１３の下側に設けられたシート取付具１３の上側切欠き１３ｂ１との間隔は、サンプルシート１４の各突出片１４ａを除いた上下寸法とほぼ一致している（図６参照）。
【００２３】
因みに、固着後の商品選択ボタン１２とシート取付具１３に寸法公差に依存するガタツキが生じることを未然に防止するには、シート取付具１３の平坦部１３ａの前面にスポンジや軟質ゴムから成る公差吸収材を予め設けておき、これを介してシート取付具１３を前面透明板１１の裏面にあてがうと良い。また、固着後の商品選択ボタン１２と前面透明板１１との間の防水性を高めるには両者の隙間を塞ぐためのリング状シール部材を商品選択ボタン１２の環状鍔１２ａ１の裏側に設けておくと良い。
【００２４】
サンプルシート１４を前面透明板１１の各張出部１１ａの裏側窪みに配するときには、図１０に示すように、サンプルシート１４の上下の突出片１４ａを破線ライン１４ｂに沿って裏側に約９０度折り曲げる。そして、サンプルシート１４の上側突出片１４ａの差込片１４ａ１を図中１点鎖線で示すように上側のシート取付具１３の下側切欠き１３ｃ１に挿入し、続いて、サンプルシート１４を適当に撓ませながらその下側突出片１４ａの差込片１４ａ１を図中１点鎖線で示すように下側のシート取付具１３の上側切欠き１３ｂ１に挿入する。或いは、サンプルシート１４の下側突出片１４ａの差込片１４ａ１を図中１点鎖線で示すように下側のシート取付具１３の上側切欠き１３ｂ１に挿入し、続いて、サンプルシート１４を適当に撓ませながらその上側突出片１４ａの差込片１４ａ１を図中１点鎖線で示すように上側のシート取付具１３の下側切欠き１３ｃ１に挿入する。
【００２５】
シート取付具１３の上側切欠き１３ｂ１と張出部１１ａの裏側窪みの内面との間隔、並びに、下側切欠き１３ｃ１と張出部１１ａの裏側窪みの内面との間隔は、サンプルシート１４の各突出片１４ａの差込片１４ａ１を除いた上下寸法とほぼ一致し、しかも、シート取付具１３の下側切欠き１３ｃ１と該シート取付具１３の下側に設けられたシート取付具１３の上側切欠き１３ｂ１との間隔は、サンプルシート１４の各突出片１４ａを除いた上下寸法とほぼ一致しているため、図１１及び図４〜図６に示すように、配置後のサンプルシート１４の中央部分は張出部１１ａの裏側窪みの内面中央に実質的に接触し、また、サンプルシート１４の両側部分は張出部１１ａの裏側窪みの内面両側の曲率に沿って湾曲し該内面両側に実質的に接触する。つまり、配置後のサンプルシート１４は裏側窪みの内面に沿うように変形していて該内面に実質的に接触する。
【００２６】
約９０度折り曲げられた上下の突出片１４ａは配置後のサンプルシート１４の形態を適正に維持する役目を果たしている。例えば、シート取付具１３の上側切欠き１３ｂ１と張出部１１ａの裏側窪みの内面との間隔、並びに、下側切欠き１３ｃ１と張出部１１ａの裏側窪みの内面との間隔が、サンプルシート１４の各突出片１４ａの差込片１４ａ１を除いた上下寸法よりも小さい場合でも、両者の寸法差を上下の突出片１４ａ自らが湾曲することによって吸収することができる。また、シート取付具１３の下側切欠き１３ｃ１と該シート取付具１３の下側に設けられたシート取付具１３の上側切欠き１３ｂ１との間隔が、サンプルシート１４の各突出片１４ａを除いた上下寸法と異なる場合でも、両者の寸法差を上下の突出片１４ａ自らが湾曲するか或いは折曲角度を変化することによって吸収することができる。
【００２７】
また、サンプルシート１４を交換するときには、サンプルシート１４を適当に撓ませながら上下の差込片１４ａ１を上側のシート取付具１３の下側切欠き１３ｃ１及び下側のシート取付具１３の上側切欠き１３ｂ１から抜いてサンプルシート１４を取り出し、別のサンプルシート１４を前記手順で配置すればよい。
【００２８】
この第１実施形態にあっては、サンプルシート１４の配置に従前のようなシート保持部材を必要としないため、複数のサンプルシート１４を各張出部１１ａの裏側窪みに配するときに費やされる時間及び労力を減少することができるし、サンプルシート１４の交換に係る作業負担も軽減することができる。
【００２９】
また、約９０度折り曲げられた上下の突出片１４ａに存在によって配置後のサンプルシート１４の形態を適正状態で維持することができるので、配置後のサンプルシート１４に全体的な歪みや局部的な湾曲等を生じることを回避して、張出部１１ａを通じて視認されるサンプルシート１４の表示内容を違和感なく購買者に明示することができる。
【００３０】
さらに、幅方向両側に湾曲面を有し幅方向中央に平坦面を有する表面形状の張出部１１ａを所定配列で並べたものを前面透明板１１として採用し、各張出部１１ａの裏側窪みにその内面に沿って実質的に接触するようにサンプルシート１４を配置しているので、前面透明板１１によって従前の自動販売機とは異なる好印象を購買者に与えて販売促進に貢献することができる。また、サンプルシート１４が平面的なものであっても該サンプルシート１４の表示内容を立体に近い状態で表現できるので、この点からも従前の自動販売機とは異なる好印象を購買者に与えて販売促進に貢献することができる。
【００３１】
さらに、１つのシート取付具１３に上側切欠き１３ｂ１と下側切欠部１３ｃ１を設け、各切欠き１３ｂ１，１３ｃ１を異なる張出部１１ａの裏側窪みへのサンプルシート１４の配置に利用しているので、上側切欠き１３ｂ１を有する部品と下側切欠部１３ｃ１を有する部品を別々に設ける場合に比べて部品コスト及び取付作業コストを低減することができる。
【００３２】
［第２実施形態］
図１２〜図１４は本発明の第２実施形態を示すもので、図１２は図６対応の裏面図、図１３はシート取付具の斜視図、図１４はサンプルシートの斜視図である。
【００３３】
この第２実施形態は、シート取付具１３’の形状とサンプルシート１４’の形状において前記第１実施形態と構成を異にする。他の構成は第１実施形態と同じであるので同一符号を引用しその説明を省略する。
【００３４】
シート取付具１３’は金属等から成り、平坦部１３ａと上側屈曲部１３ｂと下側屈曲部１３ｃ’とを備える。平坦部１３ａには商品選択ボタン１２の本体１２ａの外形とほぼ一致した係合孔１３ａ１が設けられている。上側屈曲部１３ｂはＬ字形を成し、垂直部分の中央に所定幅の上側切欠き１３ｂ１を有する。下側屈曲部１３ｃ’はＬ字形とコ字形を連続させたような形状を成し、下端水平部分の基部両側にスリット１３ｃ２を有する。
【００３５】
サンプルシート１４’は可撓性を有する矩形状プラスチックシートから成り、その表面には商品の写真またはデザイン画が価格や冷温表示等と共に印刷されている。勿論、商品の写真またはデザイン画を表面に印刷し価格や冷温表示等を表面にシールで貼り付けるようにして、シール張り替えによって価格や冷温表示等を変更できるようにしたり、或いは、前記同様のものを印刷した２以上のシールを表面に貼り付けるようにして、シール張り替えによって表示を選択的に変更できるようにしてもよい。
【００３６】
このサンプルシート１４’の下辺中央には突出片１４ａが一体に設けられている。この突出片１４ａの先端中央には差込片１４ａ１が連続して形成され、これにより差込片１４ａ１の両側には段差１４ａ２が形成されている。差込片１４ａ１の幅はシート取付具１３の切欠き１３ｂ１の幅よりも僅かに小さい。さらに、突出片１４ａの基部には突出片１４ａを折り曲げる際のガイドとなる破線ライン（微細孔を間隔をおいて直線的に形成したもの）１４ｂが形成されている。さらに、サンプルシート１４の上辺中央には矩形状の２つの差込片１４ｂが間隔をおいて一体に設けられている。２つの差込片１４ｂの間隔はシート取付具１３’の２つのスリット１３ｃ２の間隔よりも僅かに大きい。
【００３７】
シート取付具１３’は前記と同様の手順で前面透明板１１に固着される。固着後のシート取付具１３’の上側切欠き１３ｂ１は商品選択ボタン１２が固着された張出部１１ａの裏側窪みに位置し、下側スリット１３ｃ２はその下側の張出部１１ａの裏側窪みに位置し、両者は張出部１１ａの裏側において上下方向で対を成す。固着後のシート取付具１３’の上側切欠き１３ｂ１と張出部１１ａの裏側窪みの内面との間隔は、サンプルシート１４’の突出片１４ａの差込片１４ａ１を除いた上下寸法とほぼ一致している。また、固着後のシート取付具１３’の下側スリット１３ｃ２と該シート取付具１３’の下側に設けられたシート取付具１３’の上側切欠き１３ｂ１との間隔は、サンプルシート１４’の突出片１４ａ及び差込片１４ｂを除いた上下寸法とほぼ一致している（図１２参照）。
【００３８】
サンプルシート１４’を前面透明板１１の各張出部１１ａの裏側窪みに配するときには、サンプルシート１４’の下側突出片１４ａを破線ライン１４ｂに沿って裏側に約９０度折り曲げる。そして、サンプルシート１４の上側差込片１４ｂを上側のシート取付具１３’の下側スリット１３ｃ２に挿入し、続いて、サンプルシート１４’を適当に撓ませながらその下側突出片１４ａの差込片１４ａ１を下側のシート取付具１３’の上側切欠き１３ｂ１に挿入する。或いは、サンプルシート１４’の下側突出片１４ａの差込片１４ａ１を下側のシート取付具１３’の上側切欠き１３ｂ１に挿入し、続いて、サンプルシート１４’を適当に撓ませながらその上側差込片１４ｂを上側のシート取付具１３’の下側スリット１３ｃ２に挿入する。
【００３９】
シート取付具１３’の下側スリット１３ｃ２は張出部１１ａの裏側窪みの内面に近接し、且つ、シート取付具１３’の上側切欠き１３ｂ１と張出部１１ａの裏側窪みの内面との間隔はサンプルシート１４の下側突出片１４ａの差込片１４ａ１を除いた上下寸法とほぼ一致し、しかも、シート取付具１３’の下側スリット１３ｃ２と該シート取付具１３’の下側に設けられたシート取付具１３’の上側切欠き１３ｂ１との間隔は、サンプルシート１４’の突出片１４ａ及び差込片１４ｂを除いた上下寸法とほぼ一致しているため、図１２に示すように、配置後のサンプルシート１４’の中央部分は張出部１１ａの裏側窪みの内面中央に実質的に接触し、また、サンプルシート１４’の両側部分は張出部１１ａの裏側窪みの内面両側の曲率に沿って湾曲し該内面両側に実質的に接触する。つまり、配置後のサンプルシート１４’は裏側窪みの内面に沿うように変形していて該内面に実質的に接触する。
【００４０】
約９０度折り曲げられた下側突出片１４ａは配置後のサンプルシート１４’の形態を適正に維持する役目を果たしている。例えば、シート取付具１３’の上側切欠き１３ｂ１と張出部１１ａの裏側窪みの内面との間隔が、サンプルシート１４’の下側突出片１４ａの差込片１４ａ１を除いた上下寸法よりも小さい場合でも、両者の寸法差を下側突出片１４ａ自らが湾曲することによって吸収することができる。また、シート取付具１３’の下側スリット１３ｃ２と該シート取付具１３’の下側に設けられたシート取付具１３’の上側切欠き１３ｂ１との間隔が、サンプルシート１４’の各突出片１４ａ，１４ｂを除いた上下寸法と異なる場合でも、両者の寸法差を下側突出片１４ａ自らが湾曲するか或いは折曲角度を変化することによって吸収することができる。
【００４１】
また、サンプルシート１４’を交換するときには、サンプルシート１４’を適当に撓ませながら上側差込片１４ｂを上側のシート取付具１３’の下側スリット１３ｃ２から抜き、且つ、下側突出片１４ａを下側のシート取付具１３’の上側切欠き１３ｂ１から抜いてサンプルシート１４’を取り出し、別のサンプルシート１４’を前記手順で配置すればよい。
【００４２】
この第２実施形態にあっても、シート取付具１３’の形状とサンプルシート１４’の形状において違いがあるものの、前記第１実施形態と実質的に同様の作用，効果が得られる。
【００４３】
［第３実施形態］
図１５〜図１９は本発明の第３実施形態を示すもので、図１５は図６対応の裏面図、図１６はボタン取付具の斜視図、図１７はシート取付具の斜視図、図１８はサンプルシートの斜視図、図１９はサンプルシートの取付手順を示す説明図である。
【００４４】
この第３実施形態は、シート取付具１６をボタン取付具１５と別部品化した点とサンプルシート１７の形状において前記第１実施形態と構成を異にする。他の構成は第１実施形態と同じであるので同一符号を引用しその説明を省略する。
【００４５】
ボタン取付具１５は金属等から成り、平坦部１５ａに商品選択ボタン１２の本体１２ａの外形とほぼ一致した係合孔１５ａ１を有する。このボタン取付具１５は商品選択ボタン１２を前面透明板１１に固着するためのもので、該ボタン取付具１５を前面透明板１１に取り付けるときには、ボタン取付具１５をその係合孔１５ａ１が取付孔１１ａ１に合致するように前面透明板１１の裏面にあてがい、前面透明板１１の表面側から商品選択ボタン１２の本体１２ａを取付孔１１ａ１及び係合孔１５ａ１に押し込む。これにより、商品選択ボタン１２の環状鍔１２ａ１が前面透明板１１の張出部１１ａの表面に当接し、且つ、商品選択ボタン１２の係合突起１２ａ２が係合孔１５ａ１の裏面側に係合して、商品選択ボタン１２が前面透明板１１に固着される。因みに、商品選択ボタン１２はその係合突起１２ａ２の位置を変更することによりボタン取付具１５を使用せずに前面透明板１１の取付孔１１ａ１に取り付けることもできるので、該ボタン取付具１５は必ずしも必要な部品ではない。
【００４６】
シート取付具１６は金属等から成り、平坦部１６ａと２つの上側屈曲部１６ｂと２つの下側屈曲部１６ｂと２つの中間屈曲部１６ｃとを備える。２つの上側屈曲部１６ｂと２つの下側屈曲部１６ｂは同一形状を成し、各々が外側に僅かに傾いた状態で前側に向かって突設されている。２つの中間屈曲部１６ｃは上下屈曲部１６ｂの間に位置し、各々が内側に僅かに傾いた状態で後側に向かって突設されている。２つの中間屈曲部１６は上下２つの屈曲部１６ｂよりも内側に位置していて、左側の２つの上下屈曲部１６ｂと左側の中間屈曲部１６ｃとの間にはサンプルシート１７の差込片１７ａの挿入を可能とした切欠き１６ｄが形成され、また、右側の２つの上下屈曲部１６ｂと右側の中間屈曲部１６ｃとの間にはサンプルシート１７の差込片１７ａの挿入を可能とした切欠き１６ｄが形成されている。このシート取付具１６は左右で隣接する張出部１１ａ間の平坦部１１ｂの裏面所定位置にネジ止めや接着等等の手法によって固着される。固着状態では、隣接する張出部１１ａの一方の裏側窪み内に左右一方の上下屈曲部１６ｂが位置し、他方の裏側窪み内に左右他方の上下屈曲部１６ｂが位置し、各上下屈曲部１６ｂ間に存する切欠き１６ｄは張出部１１ａの裏側において左右方向で対を成す（図１５参照）。
【００４７】
サンプルシート１７は可撓性を有する矩形状プラスチックシートから成り、その表面には商品の写真またはデザイン画が価格や冷温表示等と共に印刷されている。勿論、商品の写真またはデザイン画を表面に印刷し価格や冷温表示等を表面にシールで貼り付けるようにして、シール張り替えによって価格や冷温表示等を変更できるようにしたり、或いは、前記同様のものを印刷した２以上のシールを表面に貼り付けるようにして、シール張り替えによって表示を選択的に変更できるようにしてもよい。
【００４８】
このサンプルシート１４の左右辺中央には同一形状の差込片１７ａが一体に設けられている。各差込片１７ａの幅はシート取付具１６の切欠部１６ｄの幅よりも僅かに小さい。
【００４９】
サンプルシート１４を前面透明板１１の各張出部１１ａの裏側窪みに配するときには、図１９に示すように、サンプルシート１７を図のように湾曲させる。そして、サンプルシート１４の左側差込片１７ａを図中１点鎖線で示すように左側のシート取付具１６の右側の屈曲部１６ｂの内側から切欠き１６ｄに挿入し、続いて、サンプルシート１７を適当に撓ませながらその右側差込片１７ａを図中１点鎖線で示すように右側のシート取付具１６の左側の屈曲部１６ｂの内側から切欠き１６ｄに挿入する。或いは、サンプルシート１４の右側差込片１７ａを図中１点鎖線で示すように右側のシート取付具１６の左側の屈曲部１６ｂの内側から切欠き１６ｄに挿入し、続いて、サンプルシート１７を適当に撓ませながらその左側差込片１７ａを図中１点鎖線で示すように左側のシート取付具１６の右側の屈曲部１６ｂの内側から切欠き１６ｄに挿入する。
【００５０】
サンプルシート１７の各差込片１７ａを除いた幅は一方の切欠き１６ｄから裏側窪み内面を沿って他方の切欠き１６ｄに至る距離とほぼ一致しているため、配置後のサンプルシート１７の中央部分は張出部１１ａの裏側窪みの内面中央に実質的に接触し、また、サンプルシート１７の両側部分は張出部１１ａの裏側窪みの内面両側の曲率に沿って湾曲し該内面両側に実質的に接触する。つまり、配置後のサンプルシート１７は裏側窪みの内面に沿うように変形していて該内面に実質的に接触する。
【００５１】
左右のシート取付具１６の上下屈曲部１６ｂと中間屈曲部１６ｃは配置後のサンプルシート１７の形態を適正に維持する役目を果たしている。例えば、サンプルシート１７の左右辺の左右差込片１７ａ近傍部分は左右のシート取付具１６の上下屈曲部１６ｂの内側に位置しているため、サンプルシート１７が裏側に向かって湾曲（反転）しようとしても該反転は上下屈曲部１６ｂによって阻止されることになる。また、配置後のサンプルシート１７の外側への拡がりは、差込片１７ａと接触する中間屈曲部１６ｃによって抑制されることになる。
【００５２】
また、サンプルシート１７を交換するときには、サンプルシート１７を適当に撓ませながら左右の差込片１７ａを右側のシート取付具１６の左側の切欠き１６ｄ及び左側のシート取付具１６の切欠き１６ｄから抜いてサンプルシート１７を取り出し、別のサンプルシート１７を前記手順で配置すればよい。
【００５３】
この第３実施形態にあっては、サンプルシート１７の配置に従前のようなシート保持部材を必要としないため、複数のサンプルシート１７を各張出部１１ａの裏側窪みに配するときに費やされる時間及び労力を減少することができるし、サンプルシート１７の交換に係る作業負担も軽減することができる。
【００５４】
また、左右のシート取付具１６の上下屈曲部１６ｂと中間屈曲部１６ｃの存在によって配置後のサンプルシート１７の形態を適正状態で維持することができるので、配置後のサンプルシート１７に全体的な歪みや局部的な湾曲等を生じることを回避して、張出部１１ａを通じて視認されるサンプルシート１７の表示内容を違和感なく購買者に明示することができる。
【００５５】
さらに、幅方向両側に湾曲面を有し幅方向中央に平坦面を有する表面形状の張出部１１ａを所定配列で並べたものを前面透明板１１として採用し、各張出部１１ａの裏側窪みにその内面に沿って接触するようにサンプルシート１７を配置しているので、前面透明板１１によって従前の自動販売機とは異なる好印象を購買者に与えて販売促進に貢献することができる。また、サンプルシート１７は平面的なものであっても該サンプルシート１７の表示内容を立体に近い状態で表現できるので、この点からも従前の自動販売機とは異なる好印象を購買者に与えて販売促進に貢献することができる。
【００５６】
さらに、１つのシート取付具１６に左側切欠き１６ｄと右側切欠き１６ｄを設け、各切欠き１６ｄを異なる張出部１１ａの裏側窪みへのサンプルシート１４の配置に利用しているので、左側切欠き１６ｄを有する部品と右側切欠き１６ｄを有する部品を別々に設ける場合に比べて部品コスト及び取付作業コストを低減することができる。
【００５７】
［変形例］
前述の各実施形態では、前面透明板１１の張出部１１ａとして、幅方向両側に湾曲面を有し幅方向中央に平坦面を有する表面形状を有し該表面形状と相似形の窪みを裏側に有するものを示したが、中央の平坦面は必ずしも必要なものではなく、断面形状が弓形や半円形等から成るものを張出部として採用しても良い。要するに、張出部は少なくとも幅方向両側に湾曲面を有する表面形状を有し該表面形状と相似形の窪みを裏側に有するものであれば良い。
【図面の簡単な説明】
【００５８】
【図１】従前の自動販売機の部分前面図である。
【図２】図１に示した前面透明板の一部，シート保持部材及びサンプルシートの縦断面図である。
【図３】本発明の第１実施形態を示す自動販売機の部分前面図である。
【図４】図３のＡ−Ａ線拡大断面図である。
【図５】図３のＢ−Ｂ線拡大断面図である。
【図６】図５を右側（裏面側）から見た図である。
【図７】第１実施形態の商品選択ボタンの斜視図である。
【図８】第１実施形態のシート取付具の斜視図である。
【図９】第１実施形態のサンプルシートの斜視図である。
【図１０】第１実施形態のサンプルシートの取付手順を示す説明図である。
【図１１】第１実施形態のサンプルシートの取付手順を示す説明図である。
【図１２】本発明の第２実施形態を示す図６対応の裏面図である。
【図１３】第２実施形態のシート取付具の斜視図である。
【図１４】第２実施形態のサンプルシートの斜視図である。
【図１５】本発明の第３実施形態を示す図６対応の裏面図である。
【図１６】第３実施形態のボタン取付具の斜視図である。
【図１７】第３実施形態のシート取付具の斜視図である。
【図１８】第３実施形態のサンプルシートの斜視図である。
【図１９】第３実施形態のサンプルシートの取付手順を示す説明図である。
【符号の説明】
【００５９】
１１…前面透明板、１１ａ…張出部、１３…シート取付具、１３ｂ１，１３ｃ１…切欠き、１３ｃ２…スリット、１４，１４’…サンプルシート、１４ａ…突出片、１４ａ１…差込片、１４ｂ…差込片、１６…シート取付具、１６ｂ…屈曲部、１６ｄ…切欠き。
【図１】
2006277008.tif 000003
【図２】
2006277008.tif 000004
【図３】
2006277008.tif 000005
【図４】
2006277008.tif 000006
【図５】
2006277008.tif 000007
【図６】
2006277008.tif 000008
【図７】
2006277008.tif 000009
【図８】
2006277008.tif 000010
【図９】
2006277008.tif 000011
【図１０】
2006277008.tif 000012
【図１１】
2006277008.tif 000013
【図１２】
2006277008.tif 000014
【図１３】
2006277008.tif 000015
【図１４】
2006277008.tif 000016
【図１５】
2006277008.tif 000017
【図１６】
2006277008.tif 000018
【図１７】
2006277008.tif 000019
【図１８】
2006277008.tif 000020
【図１９】
2006277008.tif 000021